(57)【要約】      （修正有）【課題】防水性と通気性を同時に測定できる防水及び通気測定装置を提供する。【解決手段】両端に開口が形成される上筒１０と、上端に開口が形成されると共に、その上にポンプ１４が設けられる下筒１２と、上筒の下端と下筒の上端を連接するため用いられる連接装置１５とを備え、防水性を測定する場合は、水を水筒１０に注ぐと、若し生布１６は防水効果を達成できなければ、水が生地を通過して上筒１０から下筒１２へ浸透する。通気性を測定する場合は、ポンプ１４で下筒１２に注気することにより若し生布１６は通気効果を達成できれば空気が生布１６を介して下筒１２から上筒１０へ通過すると共に、上筒１０における水の中に気泡を発生することにより、同時に防水性と通気性の測定を行うことができる。【選択図】図１
0003103656.tif 000002
【実用新案登録請求の範囲】
【請求項１】
両端に開口が形成される上筒と、上端に開口が形成されると共に、その上にポンプが設けられる下筒と、上筒の下端と下筒の上端を連接するため用いられる連接装置とを備えることを特徴とする防水及び通気測定装置。
【請求項２】
前記上筒の下端及び下筒の上端にリング状係合溝が形成され、
前記連接装置は内側に夫々上筒と下筒のリング状係合溝と係合するリング状リブが設けられる軟性リングであることを特徴とする請求項１に記載の防水及び通気測定装置。
【請求項３】
前記上筒の上端に貫通孔を有する上固定リングが設けられ、下筒の下端に上筒における上固定リングの貫通孔に対応するネジ孔を有する下固定リングが設けられ、
前記連接装置は上筒の貫通孔を貫通した後、下筒のネジ孔に螺設されるネジロッドと、ネジロッドに螺合される蝶形ナットとを備えることを特徴とする請求項１に記載の防水及び通気測定装置。
【考案の詳細な説明】
【技術分野】
【０００１】
本考案は、特に防水性と通気性を同時に測定できる防水及び通気測定装置に関するものである。  
【背景技術】
【０００２】
現在の生布は完全防水の効果を達成するために、密織技術で繊維間の隙間を水分子の大きさより小さいとすることにより、水分子が生布を浸透できないが、この生布からなる衣類は体から発散する汗を外に排出するために、優れた通気性を有しなければならない。
【０００３】
前記生布を製造した後、普段に通気性と防水性を測定するため二つの測定装置が用いられる。  
【考案の開示】
【考案が解決しようとする課題】
【０００４】
しかしながら、二つ異なる測定効果を有する測定装置を用意するのはコストが高くなると共に、操作上も非常に不便である。  
【０００５】
そこで、案出されたのが本考案であって、防水性と通気性を同時に測定できる防水及び通気測定装置を提供することを目的としている。  
【課題を解決するための手段】
【０００６】
本願の請求項１の考案は、両端に開口が形成される上筒と、上端に開口が形成されると共に、その上にポンプが設けられる下筒と、上筒の下端と下筒の上端を連接するため用いられる連接装置とを備えることを特徴とする防水及び通気測定装置及び、  
本願の請求項２の考案は、前記上筒の下端及び下筒の上端にリング状係合溝が形成され、  
前記連接装置は内側に夫々上筒と下筒のリング状係合溝と係合するリング状リブが設けられる軟性リングであることを特徴とする請求項１に記載の防水及び通気測定装置及び、
本願の請求項３の考案は、前記上筒の上端に貫通孔を有する上固定リングが設けられ、下筒の下端に上筒における上固定リングの貫通孔に対応するネジ孔を有する下固定リングが設けられ、  
前記連接装置は上筒の貫通孔を貫通した後、下筒のネジ孔に螺設されるネジロッドと、ネジロッドに螺合される蝶形ナットとを備えることを特徴とする請求項１に記載の防水及び通気測定装置、を提供する。  
【考案の効果】
【０００７】
本考案は上記の課題を解決するものであり、上筒と下筒で生布を挟持させ、上筒に水を注ぐと共に、下筒におけるポンプを注気することにより、防水性と通気性を同時に測定することができる。  
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。  
【０００９】
図１は本考案に係る防水及び通気測定装置の第一実施例を示す斜視図であり、図２は本考案に係る防水及び通気測定装置の第一実施例を示す分解斜視図であり、図３は本考案に係る防水及び通気測定装置の第一実施例の使用状態を示す断面図であり、図４は図３の一部拡大断面図であり、図５は本考案に係る防水及び通気測定装置の第二実施例を示す斜視図であり、図６は本考案に係る防水及び通気測定装置の第二実施例を示す分解斜視図であり、図７は本考案に係る防水及び通気測定装置の第二実施例の使用状態を示す断面図である。  
【００１０】
図１、図２及び図４に示すように、本考案に係る防水及び通気測定装置は上筒（１０）と、下筒（１２）と、連接装置（１５）とを備え、上筒（１０）は両端に開口が形成されると共に、下端にリング状係合溝（１１）が設けられる筒体である。  
【００１１】
前記下筒（１２）は上端に開口とリング状係合溝（１３）が設けられると共に、側壁に単向バルブを有するポンプ（１４）が設けられる筒体である。  
【００１２】
前記連接装置（１５）は上筒（１０）の下端と下筒（１２）の上端を連接するため用いられる軟性リングであり、その内側に夫々上筒（１０）と下筒（１２）のリング状係合溝（１１）（１３）と係合するリング状リブ（１５０）が設けられる。  
【００１３】
図３及び図４に示すように、本考案に係る防水及び通気測定装置を使用する場合、連接装置（１５）を下筒（１２）のリング状係合溝（１３）と係合し、生布（１６）を連接装置（１５）の上に放置させ、上筒（１０）の下端を連接装置へ向かって押圧することにより、リング状係合溝（１１）（１３）とリング状リブ（１５０）で生布（１６）を挟持させる。  
【００１４】
防水性を測定する場合において、水を上筒（１０）に注ぐと、若し生布（１６）は防水効果を達成できなければ、水が生布（１６）を通過して上筒（１０）から下筒（１２）へ浸透する。  
【００１５】
通気性を測定する場合において、ポンプ（１４）で下筒（１２）に注気することにより、若し生布（１６）は通気効果を達成できれば、空気が生布（１６）を介して下筒（１２）から上筒（１０）へ通過すると共に、上筒（１０）における水の中に気泡を発生することにより、同時に防水性と通気性の測定を行うことができる。  
【００１６】
又、図５及び図６に示すように、本考案に係る防水及び通気測定装置の第二実施例は上筒（２０）と、下筒（２２）と、連接装置（２５）とを備え、上筒（２０）は両端に開口が設けられると共に、上端に貫通孔（２１０）を有する上固定リング（２１）が設けられる。  
【００１７】
前記下筒（２２）は上端に開口が形成されると共に、下端に上筒（２０）における上固定リング（２１）の貫通孔（２１０）に対応するネジ孔（２３０）を有する下固定リング（２３）が設けられ、下固定リング（２３）に下筒（２２）と連通する単向バルブを有するポンプ（１４）が設けられる。  
【００１８】
前記連接装置（２５）は上筒（２０）の下端と下筒（２２）の上端を連接するため用いられるネジロッドと蝶形ナットであり、該ネジロッドは上筒（２０）の貫通孔（２１０）を貫通した後、下筒（２２）のネジ孔（２３０）に螺設され、該蝶形ナットはネジロッドに螺合される。  
【００１９】
図７に示すように、本考案に係る防水及び通気測定装置の第二実施例を使用する場合、連接装置（２５）のネジロッドを下筒（２２）における下固定リング（２３）のネジ孔（２３０）と螺合し、生布（２６）を下筒（２２）の上に放置させ、上筒（２０）における上固定リング（２１）の貫通孔（２１０）をネジロッドに対して、ネジロッドが貫通孔（２１０）を貫通した後、蝶形ナットをネジロッドと螺合することにより、上筒（２０）の下端と下筒（２２）の上端で生布（２６）を挟持させる。又、防水性と通気性の測定方式は上記実施例と等しいため、詳細な説明を省略する。  
【産業上の利用可能性】
【００２０】
本考案は上記の構成を有するので、上筒と下筒で生布を挟持させ、上筒に水を注ぐと共に、下筒におけるポンプを注気することにより、防水性と通気性を同時に測定することができる。
【図面の簡単な説明】
【００２１】
【図１】本考案に係る防水及び通気測定装置の第一実施例を示す斜視図である。
【図２】本考案に係る防水及び通気測定装置の第一実施例を示す分解斜視図である。
【図３】本考案に係る防水及び通気測定装置の第一実施例の使用状態を示す断面図である。
【図４】図３の一部拡大断面図である。
【図５】本考案に係る防水及び通気測定装置の第二実施例を示す斜視図である。
【図６】本考案に係る防水及び通気測定装置の第二実施例を示す分解斜視図である。
【図７】本考案に係る防水及び通気測定装置の第二実施例の使用状態を示す断面図である。
【符号の説明】
【００２２】
１０        上筒
１１        リング状係合溝
１２        下筒
１３        リング状係合溝
１４        ポンプ
１５        連接装置
１５０      リング状リブ
１６        生布
２０        上筒
２１        上固定リング
２１０      貫通孔
２２        下筒
２３        下固定リング
２３０      ネジ孔
２４        ポンプ
２５        連接装置
２６        生布
【図１】
0003103656.tif 000003
【図２】
0003103656.tif 000004
【図３】
0003103656.tif 000005
【図４】
0003103656.tif 000006
【図５】
0003103656.tif 000007
【図６】
0003103656.tif 000008
【図７】
0003103656.tif 000009